【手続補正書】
【提出日】平成30年12月21日(2018.12.21)
【手続補正１】
【補正対象書類名】特許請求の範囲
【補正対象項目名】全文
【補正方法】変更
【補正の内容】
【特許請求の範囲】
【請求項１】
第１突起と、第２突起と、前記第１突起と前記第２突起との間に位置する液体導入針と、を有するキャリッジに、装着可能な液体供給ユニットであって、
第１壁部と、
前記第１壁部に対向する第２壁部と、
前記第１壁部と前記第２壁部とに交差する第３壁部と、
前記第１壁部と前記第２壁部とに交差し前記第３壁部と対向する第４壁部と、
前記第１壁部と前記第２壁部と前記第３壁部と前記第４壁部とに交差する第５壁部と、
前記第１壁部と前記第２壁部と前記第３壁部と前記第４壁部とに交差し前記第５壁部と対向する第６壁部と、を備え、
前記第１壁部には、前記液体導入針と接続可能な液体供給部と、前記第１突起が挿入可能な第１凹部と、前記第２突起が挿入可能な第２凹部と、が設けられ、
前記第１壁部を前記第１壁部から前記第２壁部に向かう方向に平面視したとき、
前記液体供給部は、前記第６壁部より前記第５壁部の近くに位置し、
前記第５壁部から前記第６壁部に向かう方向に前記第１壁部を３つの領域に等分し、前記３つの領域を、前記第５壁部側から順番に、第１領域、第２領域、及び第３領域としたとき、前記第１凹部は前記第１領域に位置し、前記第２凹部は前記第３領域に位置する、
ことを特徴とする液体供給ユニット。
【請求項２】
請求項１に記載の液体供給ユニットにおいて、
前記第１壁部には、液体の残量が検出される被検出部が設けられ、
前記第１壁部を前記第１壁部から前記第２壁部に向かう方向に平面視したとき、
前記液体供給部は、前記第６壁部より前記第５壁部の近くに位置し、
前記第１凹部は、前記液体供給部より前記第５壁部の近くに位置し、
前記第２凹部は、前記液体供給部より前記第６壁部の近くに位置し、
前記第５壁部から前記第６壁部に向かう方向において、前記被検出部は、前記第１凹部と前記第２凹部との間に位置する、
ことを特徴とする液体供給ユニット。
【請求項３】
請求項１又は２に記載の液体供給ユニットにおいて、
さらに、前記第５壁部に配置され、前記液体供給ユニットを前記キャリッジに装着した状態において、前記キャリッジの電極と接触する接触部を備え、
前記第１凹部と前記接触部とは、前記第５壁部を挟んで対向する位置に設けられている、
ことを特徴とする液体供給ユニット。
【請求項４】
請求項１又は２に記載の液体供給ユニットにおいて、
さらに、前記第５壁部に配置され、前記液体供給ユニットを前記キャリッジに装着した状態において、前記キャリッジの電極と接触する接触部を備え、
前記第１壁部を、前記第１壁部から前記第２壁部に向かう方向に平面視したとき、
前記液体供給部のうち前記液体導入針と当接可能な部分と、前記接触部と、前記第１凹部と、前記第２凹部とが、直線状に配置される、
ことを特徴とする液体供給ユニット。
【請求項５】
請求項１から４までのいずれか一項に記載の液体供給ユニットにおいて、
前記第５壁部には、前記液体供給ユニットを前記キャリッジに装着した状態において、前記キャリッジに係合し、前記第１壁部から前記第２壁部に向かう第１方向に、前記キャリッジに対する前記液体供給ユニットの変位を規制する係合構造が設けられ、
前記第１壁部を、前記第１壁部から前記第２壁部に向かう方向に平面視したとき、
前記係合構造のうち前記キャリッジと当接可能な部分と、前記液体供給部のうち前記液体導入針と当接可能な部分と、前記第１凹部と、前記第２凹部とが、直線状に配置される、
ことを特徴とする液体供給ユニット。
【請求項６】
請求項１から５までのいずれか一項に記載の液体供給ユニットにおいて、
前記第１凹部は、前記第２壁部から前記第１壁部に向かう方向と、前記第３壁部から前記第４壁部に向かう方向とに、開口している、
ことを特徴とする液体供給ユニット。
【請求項７】
請求項１から６までのいずれか一項に記載の液体供給ユニットにおいて、
前記第２凹部は、前記第２壁部から前記第１壁部に向かう方向と、前記第３壁部から前記第４壁部に向かう方向とに、開口している、
ことを特徴とする液体供給ユニット。
【請求項８】
キャリッジと、前記キャリッジに装着され、液体を収容可能な液体供給ユニットと、を備える液体噴射システムであって、
前記キャリッジは、
第１突起と、
第２突起と、
前記第１突起と前記第２突起との間に位置する液体導入針と、を備え、
前記液体供給ユニットは、
第１壁部と、
前記第１壁部に対向する第２壁部と、
前記第１壁部と前記第２壁部とに交差する第３壁部と、
前記第１壁部と前記第２壁部とに交差し前記第３壁部と対向する第４壁部と、
前記第１壁部と前記第２壁部と前記第３壁部と前記第４壁部とに交差する第５壁部と、
前記第１壁部と前記第２壁部と前記第３壁部と前記第４壁部とに交差し前記第５壁部と対向する第６壁部と、を備え、
前記第１壁部には、前記液体導入針と接続可能な液体供給部と、前記第１突起が挿入可能な第１凹部と、前記第２突起が挿入可能な第２凹部と、が設けられ、
前記第１壁部を前記第１壁部から前記第２壁部に向かう第１方向に平面視したとき、
前記液体供給部は前記第５壁部と前記第６壁部との間に位置し、前記第１凹部は前記第５壁部と前記液体供給部との間に位置し、前記第２凹部は前記第６壁部と前記液体供給部との間に位置し、
前記第２壁部から前記第１壁部に向かう方向を第２方向として、前記液体供給部は、前記第１壁部から前記第２方向に突出し、
前記液体供給部は、前記第１壁部のうち前記第１凹部が設けられている部分よりも前記第２方向において第１距離だけ突出し、
前記第１突起は、前記液体導入針よりも前記第１方向において第２距離だけ突出し、
前記第１距離より前記第２距離のほうが大きい、
ことを特徴とする液体噴射システム。
【請求項９】
請求項８に記載の液体噴射システムにおいて、
前記第２突起は前記液体導入針よりも前記第１方向において第３距離だけ突出し、
前記第１距離より前記第３距離のほうが大きい、
ことを特徴とする液体噴射システム。
【請求項１０】
請求項９に記載の液体噴射システムにおいて、
さらに、前記液体供給ユニットは、前記第５壁部に配置され、前記キャリッジの電極と接触する接触部を備え、
前記第２距離が前記第３距離よりも大きい、
ことを特徴とする液体噴射システム。
【請求項１１】
請求項８又は９に記載の液体噴射システムにおいて、
さらに、前記液体供給ユニットは、前記第５壁部に配置され、前記キャリッジの電極と接触する接触部を備え、
前記第１凹部と前記接触部とは、前第５壁部を挟んで対向する位置に設けられている、
ことを特徴とする液体噴射システム。
【請求項１２】
請求項８から１１までのいずれか一項に記載の液体噴射システムにおいて、
前記液体供給ユニットに収容された前記液体の残量を検出する検出部を備え、
前記液体供給ユニットは、第１壁部に、前記検出部によって前記液体の残量が検出される被検出部が設けられており、
前記第１壁部を前記第１壁部から前記第２壁部に向かう方向に平面視したとき、
前記液体供給部は、前記第６壁部より前記第５壁部の近くに位置し、
前記第１凹部は、前記液体供給部より前記第５壁部の近くに位置し、
前記第２凹部は、前記液体供給部より前記第６壁部の近くに位置し、
前記第５壁部から前記第６壁部に向かう方向において、前記被検出部は、前記第１凹部と前記第２凹部との間に位置する、
ことを特徴とする液体噴射システム。
【手続補正２】
【補正対象書類名】明細書
【補正対象項目名】０００６
【補正方法】変更
【補正の内容】
【０００６】
［適用例１］第１突起と、第２突起と、前記第１突起と前記第２突起との間に位置する
液体導入針と、を有するキャリッジに、装着可能な液体供給ユニットであって、第１壁部と、前記第１壁部に対向する第２壁部と、前記第１壁部と前記第２壁部とに交差する第３壁部と、前記第１壁部と前記第２壁部とに交差し前記第３壁部と対向する第４壁部と、前記第１壁部と前記第２壁部と前記第３壁部と前記第４壁部とに交差する第５壁部と、前記第１壁部と前記第２壁部と前記第３壁部と前記第４壁部とに交差し前記第５壁部と対向する第６壁部と、を備え、前記第１壁部には、前記液体導入針と接続可能な液体供給部と、前記第１突起が挿入可能な第１凹部と、前記第２突起が挿入可能な第２凹部と、が設けられ、前記第１壁部を前記第１壁部から前記第２壁部に向かう方向に平面視したとき、前記液体供給部は、前記第６壁部より前記第５壁部の近くに位置し、前記第５壁部から前記第６壁部に向かう方向に前記第１壁部を３つの領域に等分し、前記３つの領域を、前記第５壁部側から順番に、第１領域、第２領域、及び第３領域としたとき、前記第１凹部は前記第１領域に位置し、前記第２凹部は前記第３領域に位置する、
ことを特徴とする液体供給ユニット。
【手続補正３】
【補正対象書類名】明細書
【補正対象項目名】０００８
【補正方法】変更
【補正の内容】
【０００８】
［適用例２］上記の液体供給ユニットにおいて、前記第１壁部には、液体の残量が検出される被検出部が設けられ、前記第１壁部を前記第１壁部から前記第２壁部に向かう方向に平面視したとき、前記液体供給部は、前記第６壁部より前記第５壁部の近くに位置し、前記第１凹部は、前記液体供給部より前記第５壁部の近くに位置し、前記第２凹部は、前記液体供給部より前記第６壁部の近くに位置し、前記第５壁部から前記第６壁部に向かう方向において、前記被検出部は、前記第１凹部と前記第２凹部との間に位置してもよい。
【手続補正４】
【補正対象書類名】明細書
【補正対象項目名】０００９
【補正方法】変更
【補正の内容】
【０００９】
かかる構成によれば、第１凹部に第１突起を挿入可能で、且つ第２凹部に第２突起を挿入可能である。このため、液体供給ユニットをキャリッジに装着すると、第１凹部の位置が第１突起によって規制され、第２凹部の位置が第２突起によって規制され得る。
この結果、液体供給ユニットをキャリッジに装着した後のキャリッジに対する液体供給ユニットの姿勢のばらつきを低減することができる。この結果、被検出部に対する検出精度の低下を抑えやすい。
［適用例３］上記の液体供給ユニットにおいて、さらに、前記液体供給ユニットは、前記第５壁部に配置され、前記キャリッジの電極と接触する接触部を備え、前記第１凹部と前記接触部とは、前記第５壁部を挟んで対向する位置に設けられてもよい。
かかる構成によれば、第１凹部と接触部とが５壁部を挟んで対向する位置に設けられているので、液体供給ユニットがキャリッジに装着された状態において、接触部がキャリッジの電極と第１突起とによって挟まれる位置関係となる。よって、接触部を電極に安定して接触させやすい。
【手続補正５】
【補正対象書類名】明細書
【補正対象項目名】００１０
【補正方法】変更
【補正の内容】
【００１０】
［適用例４］上記の液体供給ユニットにおいて、さらに、前記第５壁部に配置され、前
記液体供給ユニットを前記キャリッジに装着した状態において、前記キャリッジの電極と接触する接触部を備え、前記第１壁部を、前記第１壁部から前記第２壁部に向かう方向に平面視したとき、前記液体供給部のうち前記液体導入針と当接可能な部分と、前記接触部と、前記第１凹部と、前記第２凹部とが、直線状に配置されてもよい。
【手続補正６】
【補正対象書類名】明細書
【補正対象項目名】００１１
【補正方法】変更
【補正の内容】
【００１１】
かかる構成によれば、液体供給部のうち液体導入針に当接可能な部分と、接触部と、第１凹部と、第２凹部とは、それぞれ、液体供給ユニットをキャリッジに装着したときのキャリッジに対する液体供給ユニットの位置を規制する要因の１つである。キャリッジに対する液体供給ユニットの位置を規制する要因が直線状に並ぶことによって、液体供給ユニットをキャリッジに装着するときのキャリッジに対する液体供給ユニットのガイド機能を向上させることができる。
【手続補正７】
【補正対象書類名】明細書
【補正対象項目名】００１２
【補正方法】変更
【補正の内容】
【００１２】
［適用例５］上記の液体供給ユニットにおいて、前記第５壁部には、前記液体供給ユニ
ットを前記キャリッジに装着した状態において、前記キャリッジに係合し、前記第１壁部から前記第２壁部に向かう第１方向に、前記キャリッジに対する前記液体供給ユニットの変位を規制する係合構造が設けられ、前記第１壁部を、前記第１壁部から前記第２壁部に向かう方向に平面視したとき、前記係合構造のうち前記キャリッジと当接可能な部分と、前記液体供給部のうち前記液体導入針と当接可能な部分と、前記第１凹部と、前記第２凹部とが、直線状に配置されてもよい。
【手続補正８】
【補正対象書類名】明細書
【補正対象項目名】００１３
【補正方法】変更
【補正の内容】
【００１３】
かかる構成によれば、係合構造のうちキャリッジと当接可能な部分と、液体供給部のうち液体導入針に当接可能な部分と、第１凹部と、第２凹部とは、それぞれ、液体供給ユニットをキャリッジに装着したときのキャリッジに対する液体供給ユニットの位置を規制する要因の１つである。キャリッジに対する液体供給ユニットの位置を規制する要因が直線状に並ぶことによって、液体供給ユニットをキャリッジに装着するときのキャリッジに対する液体供給ユニットのガイド機能を向上させることができる。
【手続補正９】
【補正対象書類名】明細書
【補正対象項目名】００１４
【補正方法】変更
【補正の内容】
【００１４】
［適用例６］上記の液体供給ユニットにおいて、前記第１凹部は、前記第２壁部から前
記第１壁部に向かう方向と、前記第３壁部から前記第４壁部に向かう方向とに、開口してもよい。
【手続補正１０】
【補正対象書類名】明細書
【補正対象項目名】００１５
【補正方法】変更
【補正の内容】
【００１５】
かかる構成によれば、第１凹部が２つの方向に向かって開口しているので、第１突起を第１凹部に挿入しやすくすることができる。これにより、液体供給ユニットをキャリッジに装着しやすくすることができる。
【手続補正１１】
【補正対象書類名】明細書
【補正対象項目名】００１６
【補正方法】変更
【補正の内容】
【００１６】
［適用例７］上記の液体供給ユニットにおいて、前記第２凹部は、前記第２壁部から前
記第１壁部に向かう方向と、前記第３壁部から前記第４壁部に向かう方向とに、開口してもよい。
【手続補正１２】
【補正対象書類名】明細書
【補正対象項目名】００１７
【補正方法】変更
【補正の内容】
【００１７】
かかる構成によれば、第２凹部が２つの方向に向かって開口しているので、第２突起を第２凹部に挿入しやすくすることができる。これにより、液体供給ユニットをキャリッジに装着しやすくすることができる。
【手続補正１３】
【補正対象書類名】明細書
【補正対象項目名】００１８
【補正方法】変更
【補正の内容】
【００１８】
［適用例８］キャリッジと、前記キャリッジに装着され、液体を収容可能な液体供給ユ
ニットと、を備える液体噴射システムであって、前記キャリッジは、第１突起と、第２突起と、前記第１突起と前記第２突起との間に位置する液体導入針と、を備え、前記液体供給ユニットは、第１壁部と、前記第１壁部に対向する第２壁部と、前記第１壁部と前記第２壁部とに交差する第３壁部と、前記第１壁部と前記第２壁部とに交差し前記第３壁部と対向する第４壁部と、前記第１壁部と前記第２壁部と前記第３壁部と前記第４壁部とに交差する第５壁部と、前記第１壁部と前記第２壁部と前記第３壁部と前記第４壁部とに交差し前記第５壁部と対向する第６壁部と、を備え、前記第１壁部には、前記液体導入針と接続可能な液体供給部と、前記第１突起が挿入可能な第１凹部と、前記第２突起が挿入可能な第２凹部と、が設けられ、前記第１壁部を前記第１壁部から前記第２壁部に向かう第１方向に平面視したとき、前記液体供給部は前記第５壁部と前記第６壁部との間に位置し、前記第１凹部は前記第５壁部と前記液体供給部との間に位置し、前記第２凹部は前記第６壁部と前記液体供給部との間に位置し、前記第２壁部から前記第１壁部に向かう方向を第２方向として、前記液体供給部は、前記第１壁部から前記第２方向に突出し、前記液体供給部は、前記第１壁部のうち前記第１凹部が設けられている部分よりも前記第２方向において第１距離だけ突出し、前記第１突起は、前記液体導入針よりも前記第１方向において第２距離だけ突出し、前記第１距離より前記第２距離のほうが大きい、ことを特徴とする液体噴射システム。
【手続補正１４】
【補正対象書類名】明細書
【補正対象項目名】００２０
【補正方法】変更
【補正の内容】
【００２０】
［適用例９］上記の液体噴射システムにおいて、前記第２突起は前記液体導入針よりも
前記第１方向において第３距離だけ突出し、前記第１距離より前記第３距離のほうが大きくてもよい。
【手続補正１５】
【補正対象書類名】明細書
【補正対象項目名】００２１
【補正方法】変更
【補正の内容】
【００２１】
かかる構成によれば、液体供給ユニットがキャリッジに装着されるとき、液体導入針が液体供給部に進入する前に、第１突起が第１凹部に進入し、且つ第２突起が第２凹部に進入しやすい。これにより、液体供給ユニットがキャリッジに装着されるとき、第１凹部が第１突起にガイドされ、且つ第２凹部が第２突起にガイドされることによって、液体供給部を液体導入針に向けて導きやすい。この結果、液体導入針が液体供給部に進入するときのキャリッジに対する液体供給ユニットの姿勢を一層安定させやすい。
【手続補正１６】
【補正対象書類名】明細書
【補正対象項目名】００２２
【補正方法】変更
【補正の内容】
【００２２】
［適用例１０］上記の液体噴射システムにおいて、さらに、前記液体供給ユニットは、前
記第５壁部に配置され、前記キャリッジの電極と接触する接触部を備え、前記第２距離が前記第３距離よりも大きくてもよい。
【手続補正１７】
【補正対象書類名】明細書
【補正対象項目名】００２３
【補正方法】変更
【補正の内容】
【００２３】
かかる構成によれば、液体供給ユニットがキャリッジに装着されるとき、第２突起が第２凹部に進入する前に、第１突起が第１凹部に進入しやすい。このため、液体供給ユニットがキャリッジに装着されるとき、第２凹部が第２突起にガイドされる前に第１凹部が第１突起にガイドされやすい。つまり、第１凹部が第２凹部よりも先にガイドされやすい。そして、液体供給ユニットの接触部は、第２凹部よりも第１凹部に近い第５壁部に設けられている。つまり、接触部は、第２凹部よりも先にガイドされやすい第１凹部に近い。このため、液体供給ユニットがキャリッジに装着されるとき、第１凹部に近い接触部側を早期にガイドしやすいので、接触部が電極に接触するときのキャリッジに対する液体供給ユニットの姿勢を安定させやすい。この結果、液体供給ユニットがキャリッジに装着されるとき、接触部を電極に安定して接触させやすい。
【手続補正１８】
【補正対象書類名】明細書
【補正対象項目名】００２４
【補正方法】変更
【補正の内容】
【００２４】
［適用例１１］上記の液体噴射システムにおいて、さらに、前記液体供給ユニットは、前記第５壁部に配置され、前記キャリッジの電極と接触する接触部を備え、前記第１凹部と前記接触部とは、前記第５壁部を挟んで対向する位置に設けられてもよい。
【手続補正１９】
【補正対象書類名】明細書
【補正対象項目名】００２５
【補正方法】変更
【補正の内容】
【００２５】
かかる構成によれば、第１凹部と接触部とが５壁部を挟んで対向する位置に設けられているので、液体供給ユニットがキャリッジに装着された状態において、接触部がキャリッジの電極と第１突起とによって挟まれる位置関係となる。よって、接触部を電極に安定して接触させやすい。
【手続補正２０】
【補正対象書類名】明細書
【補正対象項目名】００２６
【補正方法】変更
【補正の内容】
【００２６】
［適用例１２］上記の液体噴射システムにおいて、前記液体供給ユニットに収容された
前記液体の残量を検出する検出部を備え、前記液体供給ユニットは、第１壁部に、前記検出部によって前記液体の残量が検出される被検出部が設けられており、前記第１壁部を前記第１壁部から前記第２壁部に向かう方向に平面視したとき、前記液体供給部は、前記第６壁部より前記第５壁部の近くに位置し、前記第１凹部は、前記液体供給部より前記第５壁部の近くに位置し、前記第２凹部は、前記液体供給部より前記第６壁部の近くに位置し、前記第５壁部から前記第６壁部に向かう方向において、前記被検出部は、前記第１凹部と前記第２凹部との間に位置してもよい。
【手続補正２１】
【補正対象書類名】明細書
【補正対象項目名】００２７
【補正方法】変更
【補正の内容】
【００２７】
かかる構成によれば、液体供給ユニットをキャリッジに装着すると、第１凹部の位置が第１突起によって規制され、第２凹部の位置が第２突起によって規制され得る。この結果、液体供給ユニットをキャリッジに装着した後のキャリッジに対する液体供給ユニットの姿勢のばらつきを低減することができる。この結果、液体の残量の検出に対する検出精度の低下を抑えやすい。